(57)【要約】  受電電力制御装置（２００）は、負荷（３０２）および蓄電装置（３０３）が電気的に接続された受電点に電力系統から所定時間あたりに受電される電力量である受電電力量を蓄電装置（３０３）の充放電を制御することによって制御する受電電力制御装置（２００）であって、受電電力量を示す情報を周期的に取得する受電電力量取得部（２０１）と、受電電力量が第１の閾値を超えないように、蓄電装置（３０３）を放電させる制御部（２０２）と、蓄電装置（３０３）の残容量を示す情報を周期的に取得する残容量取得部（２０３）と、残容量の単位時間あたりの減少量が第２の閾値を超えた場合、第１の閾値を上昇させる閾値設定部（２０４）とを備える。
2017085915.tif 000002
【特許請求の範囲】
【請求項１】
負荷および蓄電装置が電気的に接続された受電点に電力系統から所定時間あたりに受電される電力量である受電電力量を、少なくとも前記蓄電装置の充放電を制御することによって制御する受電電力制御装置であって、
前記受電電力量を示す情報を周期的に取得する受電電力量取得部と、
前記受電電力量が第１の閾値を超えないように、少なくとも前記蓄電装置を放電させる制御部と、
前記蓄電装置の残容量を示す情報を周期的に取得する残容量取得部と、
前記残容量の単位時間あたりの減少量が第２の閾値を超えた場合、前記第１の閾値を上昇させる閾値設定部とを備える
受電電力制御装置。
【請求項２】
前記閾値設定部は、さらに、所定期間における前記受電電力量の最大値以上に前記第１の閾値を調整する
請求項１に記載の受電電力制御装置。
【請求項３】
前記閾値設定部は、さらに、所定期間における前記受電電力量の平均値以上に前記第１の閾値を調整する
請求項１または２に記載の受電電力制御装置。
【請求項４】
前記閾値設定部は、さらに、
所定期間における前記受電電力量の最大値から、前記受電電力量が前記最大値である時間の前記残容量に対応する放電可能量を減算することにより得られる仮閾値を導出し、
前記所定期間のうち、前記受電電力量が前記最大値である時間を含む期間であり、前記受電電力量が連続して前記仮閾値を超える期間である超過期間を導出し、
前記超過期間における前記受電電力量の平均値から前記放電可能量を前記超過期間で平均化した値を減算することにより得られる電力量以上に前記第１の閾値を調整する
請求項１〜３のいずれか１項に記載の受電電力制御装置。
【請求項５】
前記閾値設定部は、さらに、前記第２の閾値を前記残容量以下に設定する
請求項１〜４のいずれか１項に記載の受電電力制御装置。
【請求項６】
前記閾値設定部は、さらに、前記残容量が小さいほど、前記第２の閾値を小さくする
請求項１〜５のいずれか１項に記載の受電電力制御装置。
【請求項７】
前記閾値設定部は、さらに、前記残容量が小さいほど、または、前記残容量の単位時間あたりの減少量が大きいほど、前記第１の閾値の上昇を大きくする
請求項１〜６のいずれか１項に記載の受電電力制御装置。
【請求項８】
前記受電電力制御装置は、さらに、前記負荷の消費電力の削減可能量を取得する削減可能量取得部を備え、
前記制御部は、前記削減可能量の範囲で、前記負荷の消費電力を制御する
請求項１〜７のいずれか１項に記載の受電電力制御装置。
【請求項９】
前記閾値設定部は、さらに、前記削減可能量が大きいほど、前記第２の閾値を大きくする
請求項８に記載の受電電力制御装置。
【請求項１０】
前記閾値設定部は、さらに、前記削減可能量が大きいほど、前記第１の閾値の上昇を小さくする
請求項８または９に記載の受電電力制御装置。
【請求項１１】
前記閾値設定部は、
前記受電電力量の制御の開始時に、前記受電電力量に基づいて、前記第１の閾値に対して初期値を設定し、
前記受電電力量の制御の開始時期が、基準よりも前記受電電力量が小さい時期として設定された端境期であり、かつ、前記端境期が所定期間よりも短い場合、前記第１の閾値に対して前記受電電力量に基づいて設定される前記初期値を上昇させる
請求項１〜１０のいずれか１項に記載の受電電力制御装置。
【請求項１２】
前記閾値設定部は、所定期間における前記受電電力量の最大値を前記第１の閾値の初期値として設定する
請求項１〜１１のいずれか１項に記載の受電電力制御装置。
【請求項１３】
負荷および蓄電装置が電気的に接続された受電点に電力系統から所定時間あたりに受電される電力量である受電電力量を、少なくとも前記蓄電装置の充放電を制御することによって制御する受電電力制御方法であって、
前記受電電力量を示す情報を周期的に取得する受電電力量取得ステップと、
前記受電電力量が第１の閾値を超えないように、少なくとも前記蓄電装置を放電させる制御ステップと、
前記蓄電装置の残容量を示す情報を周期的に取得する残容量取得ステップと、
前記残容量の単位時間あたりの減少量が第２の閾値を超えた場合、前記第１の閾値を上昇させる閾値設定ステップとを含む
受電電力制御方法。
【発明の詳細な説明】
【技術分野】
【０００１】
本発明は、蓄電装置の充放電を制御することによって受電電力量を制御する受電電力制御装置等に関する。
【背景技術】
【０００２】
従来、蓄電装置の充放電を制御することによって受電電力量を制御する技術が提案されている。特許文献１に記載の技術は、その一例である。【０００３】
具体的には、特許文献１に記載のコントローラは、予測消費電力量のうち目標値を超える部分の総量が、蓄電池の放電量以下となるように、目標値を算出する。そして、コントローラは、負荷の消費電力量を計測しながら、目標値に基づいて、蓄電池の放電を制御する。これにより、商用電源からの電力供給のピーク値が抑えられる。
【先行技術文献】
【特許文献】
【０００４】
【特許文献１】特開２０１４−１４７２１６号公報
【発明の概要】
【発明が解決しようとする課題】
【０００５】
しかしながら、特許文献１に記載の技術では、予測消費電力量に基づいて、目標値が算出される。そのため、消費電力量が低く予測された場合、目標値が低く算出される。そして、実際の消費電力量が予測消費電力量よりも高い場合、蓄電量の放電量が想定量よりも大きくなり、蓄電池の残容量が足りなくなる可能性がある。【０００６】
そこで、本発明は、受電電力量を適切に抑制することができる受電電力制御装置等を提供することを目的とする。
【課題を解決するための手段】
【０００７】
上記目的を達成するため、本発明の一態様に係る受電電力制御装置は、負荷および蓄電装置が電気的に接続された受電点に電力系統から所定時間あたりに受電される電力量である受電電力量を、少なくとも前記蓄電装置の充放電を制御することによって制御する受電電力制御装置であって、前記受電電力量を示す情報を周期的に取得する受電電力量取得部と、前記受電電力量が第１の閾値を超えないように、少なくとも前記蓄電装置を放電させる制御部と、前記蓄電装置の残容量を示す情報を周期的に取得する残容量取得部と、前記残容量の単位時間あたりの減少量が第２の閾値を超えた場合、前記第１の閾値を上昇させる閾値設定部とを備える。【０００８】
また、本発明の一態様に係る受電電力制御方法は、負荷および蓄電装置が電気的に接続された受電点に電力系統から所定時間あたりに受電される電力量である受電電力量を、少なくとも前記蓄電装置の充放電を制御することによって制御する受電電力制御方法であって、前記受電電力量を示す情報を周期的に取得する受電電力量取得ステップと、前記受電電力量が第１の閾値を超えないように、少なくとも前記蓄電装置を放電させる制御ステップと、前記蓄電装置の残容量を示す情報を周期的に取得する残容量取得ステップと、前記残容量の単位時間あたりの減少量が第２の閾値を超えた場合、前記第１の閾値を上昇させる閾値設定ステップとを含む。
【発明の効果】
【０００９】
本発明の一態様に係る受電電力制御装置等は、受電電力量を適切に抑制することができる。
【図面の簡単な説明】
【００１０】
【図１】図１は、実施の形態における電力制御システムの構成を示すブロック図である。
【図２】図２は、実施の形態における受電電力制御装置の構成を示すブロック図である。
【図３】図３は、実施の形態における蓄電装置の構成を示すブロック図である。
【図４】図４は、実施の形態における受電電力制御装置の第１動作例を示すフローチャートである。
【図５】図５は、実施の形態における受電電力制御装置の第２動作例を示すフローチャートである。
【図６】図６は、第１参考例における受電電力量の推移を示すグラフである。
【図７】図７は、第２参考例における受電電力量の推移を示すグラフである。
【図８】図８は、実施の形態における受電電力量の推移を示すグラフである。
【図９】図９は、実施の形態における第１の閾値の設定例を説明するためのグラフである。
【図１０】図１０は、第３参考例における第１の閾値の初期値を示す概念図である。
【図１１】図１１は、実施の形態における第１の閾値の初期値を示す概念図である。
【発明を実施するための形態】
【００１１】
以下、本発明の実施の形態について、図面を用いて詳細に説明する。なお、以下で説明する実施の形態は、いずれも包括的または具体的な例を示す。以下の実施の形態で示される数値、形状、材料、構成要素、構成要素の配置位置および接続形態、動作の順序等は、一例であり、本発明を限定する主旨ではない。また、以下の実施の形態における構成要素のうち、最上位概念を示す独立請求項に記載されていない構成要素は、任意の構成要素として説明される。
【００１２】
また、電力量は、通常、所定時間における電力の積算値を意味し、エネルギーに対応する。そして、単位時間あたりの電力量が、電力（パワー）に対応する。電力（パワー）と電力量（エネルギー）とは互いに対応するため、ここでは、電力が、電力量（エネルギー）の意味で用いられる場合があり、電力量が、電力（パワー）の意味で用いられる場合がある。そして、電力の量を電力量と呼ぶ場合がある。また、電力および電力量は、それらの値を意味する場合がある。また、充放電は、充電および放電の少なくとも一方に対応する。
【００１３】
（実施の形態）
本実施の形態において、蓄電装置の充放電を制御することで受電電力量を制御する受電電力制御装置について説明する。ここでは、集合住宅または地域単位での一括受電が想定されているが、受電方式は一括受電に限定されない。
【００１４】
図１は、本実施の形態における受電電力制御装置を含む受電電力制御システムの構成を示すブロック図である。図１に示されるように、本実施の形態における受電電力制御システム１００は、変圧器１０１と、配電線１０２と、複数の需要家設備３００と、通信線１０３と、受電電力制御装置２００とを備える。
【００１５】
変圧器１０１は、電力系統から供給される電力を各需要家設備３００に供給するため、適切な電圧に変換する変圧器である。変圧器１０１は、例えば、集合住宅の高圧受電設備である。変圧器１０１は、電力系統から受電される電力量である受電電力量を受電電力制御装置２００へ通知してもよい。
【００１６】
なお、ここでは、変圧器１０１が、電力系統から電力が供給される受電点として規定されるが、受電点は、変圧器１０１に限定されない。例えば、需要家設備３００における連系点が、受電点として規定されてもよい。
【００１７】
配電線１０２は、変圧器１０１と各需要家設備３００とを電気的に接続するための電力線であり、変圧器１０１から各需要家設備３００に電力を供給するための電力線である。
【００１８】
需要家設備３００は、需要家の施設、すなわち集合住宅の専有部、戸建住宅等に設置された設備である。需要家設備３００は、負荷３０２と、蓄電装置３０３とを備える。需要家設備３００が備えるこれらの構成要素も、需要家の施設に設置される。なお、複数の需要家が集合住宅単位、あるいは地域単位で１つの高圧需要家を構成してもよい。つまり、複数の需要家が１つの高圧需要家に統合されてもよい。また、１つの需要家設備３００は、複数の負荷３０２と、複数の蓄電装置３０３とを備えてもよい。また、１つの需要家設備３００は、複数の負荷３０２、複数の蓄電装置３０３のどちらか一方を備えてもよい。また、１つの需要家設備３００は、複数の負荷３０２、複数の蓄電装置３０３の他に、太陽光発電装置といった発電装置を備えてもよい。
【００１９】
負荷３０２は、需要家設備３００における機器であり、電力を消費する。負荷３０２は、例えば、家庭用電気機器等である。上記の通り、需要家設備３００は、複数の負荷３０２を備えてもよい。また、負荷３０２は、消費電力の削減可能量等を受電電力制御装置２００に通知する。また、負荷３０２は、受電電力制御装置２００から受信した指令値に基づいて、動作状態を変更し、消費電力を削減する。具体的には、負荷３０２は、稼働を停止することにより、または、省電力モードで動作することにより、消費電力を削減する。
【００２０】
蓄電装置３０３は、電力系統から供給される電力を充電する。また、蓄電装置３０３は、放電して負荷３０２へ電力を供給する。蓄電装置３０３は、蓄電池およびインバータ等を含む。インバータは、蓄電池に充電する際にＡＣ（交流）／ＤＣ（直流）変換を行う。また、インバータは、蓄電池から放電する際にＤＣ／ＡＣ変換を行う。また、蓄電装置３０３は、残容量等を受電電力制御装置２００に通知する。また、蓄電装置３０３は、受電電力制御装置２００から受信した指令値に基づいて充電または放電を行う。
【００２１】
通信線１０３は、蓄電装置３０３と受電電力制御装置２００とが互いに通信するための通信線である。通信線１０３は、例えば、ＩＥＥＥ８０２．３規格等に適合する有線ＬＡＮ、ＩＥＥＥ８０２．１１ａ、ｂ、ｇ規格等に適合する無線ＬＡＮ、または、携帯電話回線のような公衆通信回線等により実現される。また、通信線１０３によって、変圧器１０１と受電電力制御装置２００とが互いに通信できてもよいし、負荷３０２と受電電力制御装置２００とが互いに通信できてもよい。
【００２２】
受電電力制御装置２００は、所定時間あたりの受電電力量の閾値を設定する。所定時間は、例えば、３０分である。また、受電電力制御装置２００は、蓄電装置３０３の充放電を制御するための指令値を算出し、蓄電装置３０３に送信することにより、蓄電装置３０３の充放電を制御する。例えば、受電電力制御装置２００は、受電点である変圧器１０１における受電電力量を計測する。そして、受電電力制御装置２００は、所定時間あたりの受電電力量が第１の閾値を超えないように、蓄電装置３０３の充放電を制御する。
【００２３】
具体的には、受電電力制御装置２００は、所定時間のうち経過時間に計測された受電電力量に基づいて、所定時間における受電電力量を推定する。例えば、受電電力制御装置２００は、次の式１に基づいて、所定時間における受電電力量を推定する。
【００２４】
所定時間における受電電力量＝経過時間における受電電力量÷経過時間×所定時間  ・・・  （式１）
【００２５】
そして、受電電力制御装置２００は、所定時間における受電電力量が第１の閾値を超える場合、蓄電装置３０３を放電させる。その際、受電電力制御装置２００は、推定された受電電力量のうち第１の閾値を超える部分に対応する電力量の放電を所定時間の残り時間において蓄電装置３０３に実行させる。これにより、受電電力制御装置２００は、所定時間における受電電力量が第１の閾値を超えないように、蓄電装置３０３の充放電を制御する。
【００２６】
上記の方法は一例であって、他の方法によって受電電力量が第１の閾値を超えないように蓄電装置３０３の充放電が制御されてもよい。
【００２７】
例えば、受電電力制御装置２００は、推定された受電電力量が第１の閾値を超える場合に限らず、第１の閾値を超えそうな場合に、蓄電装置３０３を放電させてもよい。具体的には、受電電力制御装置２００は、推定された受電電力量が第１の閾値の９０％を超える場合、蓄電装置３０３を放電させてもよい。その際、受電電力制御装置２００は、推定された受電電力量のうち第１の閾値の９０％を超える部分に対応する電力量の放電を所定時間の残り時間において蓄電装置３０３に実行させてもよい。これにより、より確実な制御が行われる。
【００２８】
また、受電電力量が第１の閾値を超えないように蓄電装置３０３の充放電を制御することは、受電電力量を第１の閾値以下に抑制することを目標にして蓄電装置３０３の充放電を制御することを意味する。つまり、受電電力量が第１の閾値を超えないように蓄電装置３０３の充放電が制御されても、例えば、式（１）で算出した所定時間における受電電力量と実際の受電電力量との誤差によって、受電電力量が第１の閾値を超える場合もある。
【００２９】
また、例えば、受電電力制御装置２００は、蓄電装置３０３の残容量（ＳＯＣ：Ｓｔａｔｅ  Ｏｆ  Ｃｈａｒｇｅ）を計測する。そして、受電電力制御装置２００は、受電点における受電電力量、および、蓄電装置３０３の残容量に基づいて、第１の閾値を更新する。
【００３０】
また、例えば、受電電力制御装置２００は、複数の需要家設備３００の複数の連系点における受電電力量を取得し、複数の連系点における受電電力量の合計を受電点における受電電力量として利用してもよい。複数の連系点における受電電力量の合計を利用する方法は、変圧器１０１の２次側に複数の需要家設備３００以外の設備が設置されていない場合に、高圧一括受電していない場合に、特に適している。
【００３１】
また、受電電力制御装置２００は、負荷３０２の消費電力を制御するための指令値を算出し、負荷３０２に送信することにより、負荷３０２の消費電力を制御してもよい。例えば、受電電力制御装置２００は、所定時間あたりの受電電力量が第１の閾値を超えないように、負荷３０２の消費電力を制御する。具体的には、受電電力制御装置２００は、負荷３０２の稼働を停止することにより、または、負荷３０２を省電力モードで動作させることにより、消費電力の削減可能範囲で、負荷３０２の消費電力を制御する。
【００３２】
また、本実施の形態では、蓄電装置３０３が各需要家設備３００に含まれているが、集合住宅の共用部、または、地域において、１台の蓄電装置３０３が設置されてもよい。また、受電電力制御装置２００が蓄電装置３０３に含まれてもよいし、蓄電装置３０３が受電電力制御装置２００に含まれてもよい。つまり、受電電力制御装置２００と蓄電装置３０３とが統合されてもよい。
【００３３】
また、受電電力制御システム１００は、図１に示された複数の構成要素のうち、任意の１以上の構成要素のみを備えてもよい。例えば、受電電力制御システム１００は、図１に示された複数の構成要素のうち、受電電力制御装置２００および複数の蓄電装置３０３のみを備えてもよい。そして、受電電力制御システム１００とは別のシステムが、その他の構成要素を備えてもよい。
【００３４】
図２は、図１に示された受電電力制御装置２００の構成を示すブロック図である。図２に示されるように、受電電力制御装置２００は、受電電力量取得部２０１と、制御部２０２と、残容量取得部２０３と、閾値設定部２０４とを備える。受電電力制御装置２００は、さらに、削減可能量取得部２０５を備えてもよい。
【００３５】
受電電力量取得部２０１は、受電点の受電電力量を示す情報を周期的に取得する。例えば、受電電力量取得部２０１は、５分ごとに、過去５分間における受電電力量を示す情報を取得する。受電電力量取得部２０１は、必要に応じて、複数の連系点における受電電力量の合計値を算出する。そして、受電電力量取得部２０１は、制御部２０２および閾値設定部２０４に受電点の受電電力量を示す情報を送信する。
【００３６】
制御部２０２は、蓄電装置３０３の残容量の範囲で、蓄電装置３０３の充放電を制御することにより、受電点における受電電力量を制御する。すなわち、制御部２０２は、蓄電装置３０３の充放電を調整することにより、受電点における受電電力量を調整する。
【００３７】
例えば、制御部２０２は、５分ごとに、蓄電装置３０３の充放電を制御するための指令値を算出し、算出された指令値を蓄電装置３０３に送信することにより、蓄電装置３０３の充放電を制御する。具体的には、制御部２０２は、受電点における所定時間あたりの受電電力量が第１の閾値を超えないように、蓄電装置３０３の充放電を制御する。
【００３８】
制御部２０２は、負荷３０２の消費電力の削減可能量の範囲で、負荷３０２の消費電力を制御することにより、受電点における受電電力量を制御してもよい。すなわち、制御部２０２は、負荷３０２の消費電力を調整することにより、受電点における受電電力量を調整してもよい。制御部２０２は、蓄電装置３０３の充放電の制御と、負荷３０２の消費電力の制御とを並行して行ってもよい。
【００３９】
残容量取得部２０３は、蓄電装置３０３の残容量を示す情報を取得する。例えば、残容量取得部２０３は、５分ごとに、その時点における蓄電装置３０３の残容量を取得する。残容量取得部２０３は、複数の蓄電装置３０３の合計残容量（ｋＷｈ）を示す情報を取得してもよい。そして、残容量取得部２０３は、制御部２０２および閾値設定部２０４に蓄電装置３０３の残容量を示す情報を送信する。
【００４０】
閾値設定部２０４は、第１の閾値を設定する。具体的には、閾値設定部２０４は、第１の閾値に初期値を与えることにより、または、第１の閾値を更新することにより、第１の閾値を設定する。この閾値は、受電電力量を抑制するための基準として用いられる。例えば、閾値設定部２０４は、蓄電装置３０３の単位時間あたりの減少量が第２の閾値よりも大きい場合、第１の閾値を上昇させる。閾値設定部２０４は、受電電力量を上昇させることで、蓄電装置３０３の残容量が尽き、受電電力量が第１の閾値を大幅に逸脱することを抑制する。
【００４１】
具体的には、閾値設定部２０４は、蓄電装置３０３の単位時間あたりの減少量が第２の閾値よりも大きい場合、所定量分、第１の閾値を上昇させる。例えば、閾値設定部２０４は、単位時間あたりの減少量が第２の閾値よりも大きい場合、第１の閾値の５％分、第１の閾値を上昇させる。また、閾値設定部２０４は、この場合、単位時間あたりの減少量と第２の閾値との差が大きいほど大きく第１の閾値を上昇させてもよい。
【００４２】
また、例えば、閾値設定部２０４は、残容量が小さいほど、または、残容量の単位時間あたりの減少量が大きいほど、第１の閾値の上昇を大きくしてもよい。また、閾値設定部２０４は、負荷３０２の消費電力の削減可能量が大きいほど、第１の閾値の上昇を小さくしてもよい。
【００４３】
また、蓄電装置３０３の単位時間あたりの減少量と比較される第２の閾値は、蓄電装置３０３の残容量の急速な減少を示す値として予め定められた値である。閾値設定部２０４は、第２の閾値を調整してもよい。例えば、閾値設定部２０４は、第２の閾値を蓄電装置３０３の残容量以下に設定してもよい。また、閾値設定部２０４は、蓄電装置３０３の残容量が大きいほど、第２の閾値を大きくてもよい。言い換えれば、閾値設定部２０４は、蓄電装置３０３の残容量が小さいほど、第２の閾値を小さくしてもよい。
【００４４】
また、閾値設定部２０４は、負荷３０２の消費電力の削減可能量が大きいほど、第２の閾値を小さくしてもよい。
【００４５】
また、閾値設定部２０４は、受電電力量に基づいて、第１の閾値を調整してもよい。例えば、閾値設定部２０４は、所定期間（例えば、１日間）における受電電力量の平均値以上に第１の閾値を調整してもよい。また、例えば、閾値設定部２０４は、所定期間（例えば、１年間）における所定時間単位（例えば、３０分間）の受電電力量の最大値以上に第１の閾値を調整してもよい。閾値設定部２０４は、ピークを平準化することで得られる値以上に第１の閾値を調整してもよい。
【００４６】
また、閾値設定部２０４は、受電電力量の制御の開始時に、受電電力量に基づいて、第１の閾値に対して初期値を設定してもよい。例えば、閾値設定部２０４は、所定期間（例えば、１日間）における所定時間単位（例えば、３０分間）の受電電力量の最大値を第１の閾値の初期値として設定してもよい。
【００４７】
また、閾値設定部２０４は、受電電力量の制御の開始時期が、基準よりも受電電力量が小さい時期として設定された端境期であり、かつ、設定された端境期が所定期間よりも短い場合、受電電力量に基づいて設定される初期値を上昇させてもよい。端境期は、例えば、春または秋の期間である。また、設定された端境期が短いか否かを規定するための所定期間は、例えば、１ヶ月である。端境期は、需要家によって設定されてもよい。
【００４８】
削減可能量取得部２０５は、負荷３０２の消費電力の削減可能量を取得する。例えば、削減可能量取得部２０５は、５分ごとに、その時点における負荷３０２の消費電力の削減可能量を取得する。削減可能量取得部２０５は、複数の負荷３０２に対して、消費電力の削減可能量の合計（ｋＷｈ）を示す情報を取得してもよい。そして、削減可能量取得部２０５は、制御部２０２および閾値設定部２０４に負荷３０２の消費電力の削減可能量を示す情報を送信する。
【００４９】
なお、受電電力制御装置２００は、蓄電装置３０３の充放電の制御を行い、負荷３０２の消費電力の制御を行わなくてもよい。この場合、受電電力制御装置２００は、削減可能量取得部２０５を備えなくてもよい。
【００５０】
図３は、図１に示された蓄電装置３０３の構成を示すブロック図である。図３に示されるように、蓄電装置３０３は、制御部３３１、蓄電部３３２、指令値取得部３３３、および、残容量通知部３３４を備える。蓄電装置３０３は、さらに、受電電力量通知部３３５を備えてもよい。
【００５１】
制御部３３１は、蓄電装置３０３の全体の動作を制御する。例えば、制御部３３１は、指令値取得部３３３を介して指令値を取得し、取得した指令値に基づいて、蓄電部３３２の充放電を制御する。また、制御部３３１は、蓄電部３３２の残容量を検出し、残容量通知部３３４を介して残容量を通知する。制御部３３１は、さらに、受電電力量通知部３３５が行う受電電力量の通知を制御してもよい。また、制御部３３１は、充放電の制御、残容量の通知の制御、および、受電電力量の通知の制御を５分毎に行ってもよい。
【００５２】
蓄電部３３２は、電力を蓄積するための構成要素である。蓄電部３３２には、制御部３３１が行う制御に従って、電力が充電され放電される。例えば、電力系統から供給される電力が蓄電部３３２に充電される。蓄電部３３２から放電された電力は負荷３０２に供給される。また、蓄電部３３２は、蓄電池およびインバータ等を備えてもよい。
【００５３】
指令値取得部３３３は、充放電のための指令値を取得する。例えば、指令値取得部３３３は、受電電力制御装置２００から通信を介して指令値を受信することにより、指令値を取得する。そして、指令値取得部３３３は、制御部３３１に指令値を送信する。
【００５４】
残容量通知部３３４は、蓄電部３３２の残容量を通知する。具体的には、残容量通知部３３４は、制御部３３１で検出された残容量を示す情報を送信することにより、残容量を通知する。例えば、残容量通知部３３４は、受電電力制御装置２００へ通信を介して残容量を示す情報を送信することにより、残容量を受電電力制御装置２００に通知する。
【００５５】
受電電力量通知部３３５は、受電電力量を通知する。例えば、受電電力量通知部３３５は、連系点における受電電力量を検出し、通信を介して受電電力量を示す情報を受電電力制御装置２００へ送信することにより、受電電力量を受電電力制御装置２００に通知する。なお、受電電力制御装置２００は、蓄電装置３０３を介さず、受電電力量を検出してもよい。この場合、蓄電装置３０３は、受電電力量通知部３３５を備えなくてもよい。
【００５６】
図４は、図２に示された受電電力制御装置２００の第１動作例を示すフローチャートである。なお、受電電力量の閾値の初期値は設定されているものとする。
【００５７】
まず、受電電力制御装置２００の受電電力量取得部２０１は、受電点における受電電力量を示す情報を取得する（Ｓ１０１）。例えば、受電電力量取得部２０１は、変圧器１０１において電力系統から受電される電力量を計測することにより、受電点である変圧器１０１における受電電力量を示す情報を取得する。
【００５８】
次に、受電電力制御装置２００の制御部２０２は、受電電力量に基づいて、蓄電装置３０３の充放電を制御する（Ｓ１０２）。例えば、制御部２０２は、受電電力量が第１の閾値を超えている場合、受電電力量のうち第１の閾値を超える部分に対応する電力量の放電を蓄電装置３０３に行わせる。
【００５９】
次に、受電電力制御装置２００の残容量取得部２０３は、蓄電装置３０３の残容量を示す情報を取得する（Ｓ１０３）。例えば、残容量取得部２０３は、蓄電装置３０３から通信線１０３を介して蓄電装置３０３の残容量を示す情報を取得してもよい。
【００６０】
次に、受電電力制御装置２００の閾値設定部２０４は、適宜、受電電力量に対する第１の閾値を更新する（Ｓ１０４）。具体的には、第１の閾値設定部２０４は、残容量の単位時間あたりの減少量が第２の閾値を超えた場合、受電電力量に対する第１の閾値を上昇させる。
【００６１】
受電電力制御装置２００は、上記の処理（Ｓ１０１〜Ｓ１０４）を繰り返して行う。これにより、受電電力制御装置２００は、受電電力量が第１の閾値を超えないように、蓄電装置３０３の放電によって受電電力量を削減する。また、受電電力制御装置２００は、残容量の単位時間あたりの減少量が第２の閾値を超えた場合、第１の閾値を上げることで、受電電力量を上げ、放電電力量を下げる。これにより、受電電力制御装置２００は、蓄電装置３０３の残容量が空になることを抑制し、受電電力量が第１の閾値を逸脱するのを抑制する。
【００６２】
なお、図４に示された動作における処理順序は、適宜変更されてもよい。また、これらの処理の一部または全部が並行して行われてもよい。また、これらの処理は、周期的に繰り返して行われるが、一定の周期で行われなくてもよい。また、これらの処理が、別々の周期で行われてもよい。
【００６３】
図５は、図２に示された受電電力制御装置２００の第２動作例を示すフローチャートである。図５に示された動作は、図４に示された動作の変形例であって、図４に示された動作の具体例である。
【００６４】
まず、受電電力制御装置２００の残容量取得部２０３は、蓄電装置３０３の残容量を示す情報を取得する（Ｓ２０１）。また、受電電力制御装置２００の受電電力量取得部２０１は、受電点における受電電力量を示す情報を取得する（Ｓ２０２）。これらの情報は、並行して取得されてもよい。
【００６５】
次に、受電電力制御装置２００の閾値設定部２０４は、残容量を示す情報と受電点における受電電力量を示す情報に基づいて、第１の閾値を適宜更新する（Ｓ２０３）。例えば、閾値設定部２０４は、残容量の単位時間あたりの減少量が第２の閾値を超えた場合、第１の閾値を上昇させる。
【００６６】
その際、閾値設定部２０４は、残容量が小さいほど、または、残容量の単位時間あたりの減少量が大きいほど、第１の閾値の上昇を大きくしてもよい。また、閾値設定部２０４は、削減可能量が大きいほど、第１の閾値の上昇を小さくしてもよい。
【００６７】
また、閾値設定部２０４は、所定期間（例えば、１年間）における所定時間単位（例えば、３０分間）の受電電力量の最大値以上に、第１の閾値を調整してもよい。また、閾値設定部２０４は、所定期間（例えば、１日間）における受電電力量の平均値以上に、第１の閾値を調整してもよい。
【００６８】
次に、受電電力制御装置２００の残容量取得部２０３は、蓄電装置３０３の残容量を示す情報を取得する（Ｓ２０４）。また、受電電力制御装置２００の受電電力量取得部２０１は、受電点における受電電力量を示す情報を取得する（Ｓ２０５）。これらの情報は、並行して取得されてもよい。
【００６９】
次に、受電電力制御装置２００の制御部２０２は、残容量および受電電力量に基づいて、蓄電装置３０３の充放電を制御する（Ｓ２０６）。
【００７０】
例えば、制御部２０２は、残容量が空状態ではなく、かつ、受電電力量が第１の閾値を超える場合、蓄電装置３０３を放電させる。また、制御部２０２は、残容量が満充電状態ではなく、かつ、受電電力量が第１の閾値に満たない場合、蓄電装置３０３を充電させてもよい。また、制御部２０２は、残容量が空状態ではなく、かつ、受電電力量が第１の閾値を超えそうな場合、蓄電装置３０３を放電させてもよい。
【００７１】
また、制御部２０２は、残容量および受電電力量が上記の条件に該当しない場合、蓄電装置３０３の充放電を停止させてもよい。
【００７２】
また、制御部２０２は、複数の蓄電装置３０３の充放電を制御する場合、複数の蓄電装置３０３に充放電電力量を分担させてもよい。例えば、制御部２０２は、式１等によって推定された受電電力量が第１の閾値を超える場合、推定された受電電力量のうち第１の閾値を超える部分を複数の蓄電装置３０３に放電すべき電力量として配分する。
【００７３】
その際、制御部２０２は、蓄電装置３０３の残容量に基づいて、放電すべき電力量を配分してもよい。制御部２０２は、蓄電装置３０３が放電可能な電力量が蓄電装置３０３に対応する負荷３０２の消費電力量以下に制限される場合がある。そこで、制御部２０２は、蓄電装置３０３に対応する負荷３０２の消費電力量に基づいて、放電すべき電力量を配分してもよい。
【００７４】
また、制御部２０２は、蓄電装置３０３の残容量と、蓄電装置３０３に対応する負荷３０２の消費電力量との組み合わせに基づいて、放電すべき電力量を配分してもよい。
【００７５】
その後、第１の閾値の更新間隔に対応する時間が経過している場合（Ｓ２０７でＹｅｓ）、残容量を示す情報の取得（Ｓ２０１）、受電電力量を示す情報の取得（Ｓ２０２）、および、第１の閾値の更新（Ｓ２０３）から処理が繰り返される。第１の閾値の更新間隔は、例えば、３０分である。
【００７６】
一方、第１の閾値の更新間隔に対応する時間が経過していない場合（Ｓ２０７でＮｏ）、残容量を示す情報の取得（Ｓ２０４）、受電電力量を示す情報の取得（Ｓ２０５）、および、充放電の制御（Ｓ２０６）が繰り返される。これらの処理（Ｓ２０４〜Ｓ２０６）は、例えば、５分毎に行われる。
【００７７】
なお、制御部２０２は、蓄電装置３０３の充放電を制御する際、削減可能量の範囲で、負荷３０２の消費電力を制御してもよい。制御部２０２は、蓄電装置３０３の充放電を制御するタイミングとは別のタイミングで、負荷３０２の消費電力を制御してもよい。
【００７８】
また、閾値設定部２０４は、第１の閾値を更新する際、さらに、第２の閾値を更新してもよい。例えば、閾値設定部２０４は、第２の閾値を蓄電装置３０３の残容量以下に設定してもよい。また、閾値設定部２０４は、残容量が小さいほど、第２の閾値を小さくしてもよい。閾値設定部２０４は、さらに、削減可能量が大きいほど、第２の閾値を大きくしてもよい。閾値設定部２０４は、第１の閾値を更新するタイミングとは別のタイミングで、第２の閾値を更新してもよい。
【００７９】
図６は、第１参考例における受電電力量の推移を示すグラフである。具体的には、図６は、第１の閾値が更新されない場合の動作を示す。また、図６の縦軸は、所定時間あたりの受電電力量を示し、図６の横軸は、時刻を示す。所定時間は、例えば、３０分間である。また、図６の点線は、放電が行われなかった場合の受電電力量を示す。図６の網掛け部分は、放電によって削減される受電電力量を示す。以下、受電電力制御装置２００が第１の閾値を更新しなかったと仮定して説明する。
【００８０】
図６の時刻Ｔａ〜時刻Ｔｂにおいて、受電電力量は第１の閾値を下回っている。そのため、蓄電装置３０３は放電せず、蓄電装置３０３の残容量は一定である。
【００８１】
そして、時刻Ｔｂの後、受電電力量が第１の閾値を超える（図６の点線）。そのため、蓄電装置３０３が放電する。これにより、受電電力量が削減される（図６の網掛け部分）。また、蓄電装置３０３の残容量が減少する。
【００８２】
その後、時刻Ｔｃにおいて、蓄電装置３０３の残容量が空状態になる。したがって、時刻Ｔｃの後、蓄電装置３０３は、過放電を検知して停止する。すなわち、時刻Ｔｃ〜時刻Ｔｄにおいて、受電電力量が第１の閾値を超えるが、蓄電装置３０３は放電せず、受電電力量は削減されない。そして、時刻Ｔｃにおいて、受電電力量が最大になる。
【００８３】
図７は、第２参考例における受電電力量の推移を示すグラフである。図７の例は、図６の例と同様であるが、図７は、さらに、第１の閾値が受電電力量の予測値に基づいて規定される例を示す。
【００８４】
第１の閾値が受電電力量の予測値に基づいて規定される場合において、受電電力量の予測値が適切であれば、第１の閾値が適切に規定される。したがって、受電電力量の最大値が適切に抑制される可能性がある。一方、受電電力量の予測値が適切でなければ、第１の閾値が適切に規定されない。したがって、受電電力量の最大値が適切に抑制されない可能性がある。
【００８５】
図７の例では、第１の閾値が受電電力量の予測値に基づいて規定されているが、受電電力量の実績値が受電電力量の予測値を上回っている。
【００８６】
例えば、受電電力量の予測値は、時刻Ｔｆの後に第１の閾値を上回っている。そのため、時刻Ｔｆの後に、蓄電装置３０３が放電することが想定されている。
【００８７】
しかし、受電電力量の実績値は、予測よりも早く、時刻Ｔｂの後に第１の閾値を上回っている。そのため、想定よりも早く、時刻Ｔｂから、蓄電装置３０３が放電する。また、受電電力量の実績値は、受電電力量の予測値よりも大きい。そのため、放電電力量は、想定よりも大きい。
【００８８】
したがって、想定よりも早く、時刻Ｔｃにおいて、蓄電装置３０３の残容量が空状態になる。そして、時刻Ｔｃの後、蓄電装置３０３は、放電を停止する。すなわち、時刻Ｔｃ〜時刻Ｔｄにおいて、受電電力量が第１の閾値を超えるが、蓄電装置３０３は放電せず、受電電力量は削減されない。
【００８９】
そして、図７の例では、受電電力量の最大値は、放電によって低減されない。すなわち、図７の例では、放電が行われているにもかかわらず、受電電力量の最大値は低減されない。
【００９０】
図８は、図２に示された受電電力制御装置２００によって制御される受電電力量の推移を示すグラフである。具体的には、図８は、第１の閾値が更新される場合の動作を示す。また、図８の縦軸は、所定時間あたりの受電電力量を示し、図８の横軸は、時刻を示す。所定時間は、例えば、３０分間である。また、図８の点線は、放電が行われなかった場合の受電電力量を示す。図８の網掛け部分は、放電によって削減される受電電力量を示す。
【００９１】
図８の時刻Ｔａ〜時刻Ｔｂにおいて、受電電力量は第１の閾値を下回っている。そのため、蓄電装置３０３は放電せず、蓄電装置３０３の残容量は一定である。
【００９２】
そして、時刻Ｔｂの後、受電電力量が第１の閾値を超える（図８の点線）。そのため、蓄電装置３０３が放電する。これにより、受電電力量が削減される（図８の網掛け部分）。また、放電にあわせて蓄電装置３０３の残容量が減少する。
【００９３】
その後、時刻Ｔｇにおいて、残容量の単位時間あたりの減少量が第２の閾値を超える。したがって、第１の閾値が上昇する。図８の例では、時刻Ｔｇ〜時刻Ｔｈにおいて、残容量の単位時間あたりの減少量が第２の閾値を超え続けるため、第１の閾値が上昇し続ける。また、図８の例では、時刻Ｔｇ〜時刻Ｔｈにおいて、第１の閾値が一定の割合で線形的に上昇しているが、第１の閾値は段階的に上昇してもよい。具体的には、時刻Ｔｇ〜時刻Ｔｈにおいて、第１の閾値は、３０分毎に所定量増加してもよい。
【００９４】
その後、時刻Ｔｈにおいて、残容量の単位時間あたりの減少量が第２の閾値以下になる。したがって、第１の閾値の上昇が停止する。そして、時刻Ｔｃにおいて、蓄電装置３０３の放電が行われなかった場合の受電電力量が、第１の閾値以下になる。したがって、時刻Ｔｃにおいて、蓄電装置３０３の放電が停止する。そして、時刻Ｔｃの後、蓄電装置３０３は放電しないため、蓄電装置３０３の残容量は一定である。
【００９５】
上記の通り、図８の例では、残容量の単位時間あたりの減少量が第２の閾値を超えた場合、第１の閾値が上昇する。これにより、受電電力量が上昇し、一方、放電電力量の上昇が抑制される。したがって、蓄電装置３０３の残容量が空状態になることが抑制される。すなわち、受電電力量を抑制するための放電が途絶えずに継続される。これにより、受電電力量の最大値が極端に大きくなることが抑制される。
【００９６】
なお、図８の例では、残容量の単位時間あたりの減少量が第２の閾値を超えた場合、第１の閾値が上昇する。具体的には、残容量の単位時間あたりの減少量が第２の閾値を超えた場合、受電電力制御装置２００が第１の閾値を上昇させる。
【００９７】
また、受電電力制御装置２００は、受電電力量に基づいて、第１の閾値を更新してもよい。例えば、所定期間における受電電力量の平均値よりも受電電力量の最大値を低くすることは困難である。受電電力量を平均値まで低くする場合に比べ、受電電力量を平均値より低くする場合には、より多くの蓄電装置の容量が必要となるためである。したがって、受電電力制御装置２００は、所定期間における受電電力量の平均値以上に第１の閾値を調整してもよい。
【００９８】
具体的には、受電電力制御装置２００は、現在の閾値と、所定期間における受電電力量の平均値とを比較し、所定期間における受電電力量の平均値が現在の閾値よりも大きい場合、所定期間における受電電力量の平均値を新たな第１の閾値として設定してもよい。
【００９９】
また、例えば、過去の受電電力量の最大値よりも受電電力量の最大値を低くすることは困難であると想定される。また、過去の受電電力量の最大値に基づいて電力コストが規定される場合では、過去の受電電力量の最大値よりも受電電力量を下げることが電力コストの削減に貢献しない場合がある。したがって、受電電力制御装置２００は、過去の受電電力量の最大値以上に第１の閾値を調整してもよい。
【０１００】
ここで、過去の受電電力量の最大値は、例えば、所定期間における所定時間単位の受電電力量の最大値である。具体的には、過去の受電電力量の最大値は、例えば、過去１年間における３０分単位の受電電力量の最大値でもよい。
【０１０１】
そして、受電電力制御装置２００は、現在の閾値と、過去の受電電力量の最大値とを比較し、過去の受電電力量の最大値が現在の閾値よりも大きい場合、過去の受電電力量の最大値を新たな第１の閾値として設定してもよい。
【０１０２】
また、受電電力制御装置２００は、ピークを平準化することで得られる値以上に第１の閾値を調整してもよい。図９を用いて、具体的に説明する。
【０１０３】
図９は、図２に示された受電電力制御装置２００によって設定される第１の閾値の設定例を説明するためのグラフである。
【０１０４】
まず、受電電力制御装置２００の閾値設定部２０４は、過去の所定期間（例えば、昨日１日間）から、受電電力量がピークである時間（タイムスロット）を特定する。図９の例では、閾値設定部２０４は、時間ｔ３を受電電力量がピークである時間として特定する。
【０１０５】
そして、閾値設定部２０４は、時間ｔ３における残容量に対応する放電電力量で、時間ｔ３における受電電力量（ｐ３）を削減すると仮定した場合、削減後の受電電力量を仮閾値として決定する。つまり、閾値設定部２０４は、次の式２に基づいて、仮閾値を決定する。
【０１０６】
仮閾値＝ピークの受電電力量−放電可能量  ・・・  （式２）
【０１０７】
式２において、ピークの受電電力量は、時間ｔ３における受電電力量ｐ３に対応する。また、放電可能量は、ピークの時間における放電可能量に対応し、時間ｔ３における残容量に対応する放電電力量に対応する。
【０１０８】
次に、閾値設定部２０４は、仮閾値を連続して超える時間を特定する。図９の例では、時間ｔ１〜ｔ４が、仮閾値を連続して超える時間として特定される。次に、閾値設定部２０４は、次の式３に基づいて、第１の閾値を決定する。
【０１０９】
第１の閾値＝（Σ（ｐｉ−仮閾値）−放電可能量）÷時間数＋仮閾値  ・・・  （式３）
【０１１０】
式３において、ｐｉは、例えば、時間ｔ１〜ｔ４における受電電力量ｐ１〜ｐ４に対応する。また、時間数は、例えば、時間ｔ１〜ｔ４の数であり、４である。また、式３は、以下の式４に変形可能である。
【０１１１】
第１の閾値＝（Σｐｉ−放電可能量）÷時間数  ・・・  （式４）
【０１１２】
すなわち、閾値設定部２０４は、受電電力量が仮閾値を連続して超える時間における受電電力量の平均値から、受電電力量が仮閾値を連続して超える時間で放電可能量を平均化した値を減算することで得られる値を第１の閾値として決定する。式３と式４とは実質的に同一である。閾値設定部２０４は、式３または式４と実質的に同一とみなされるその他の式を用いて、第１の閾値を決定してもよい。
【０１１３】
また、閾値設定部２０４は、式３または式４等に基づいて算出される第１の閾値を第１の閾値の下限として算出してもよい。そして、閾値設定部２０４は、第１の閾値の下限以上に、第１の閾値を調整してもよい。
【０１１４】
具体的には、閾値設定部２０４は、現在の閾値と、式３または式４等に基づいて算出される第１の閾値とを比較する。そして、閾値設定部２０４は、式３または式４等に基づいて算出される第１の閾値が現在の閾値よりも大きい場合、式３または式４等に基づいて算出される第１の閾値を新たな第１の閾値として設定してもよい。
【０１１５】
次に、受電電力量に対する第１の閾値の初期値について、図１０および図１１を用いて説明する。
【０１１６】
図１０は、第３参考例における第１の閾値の初期値を示す概念図である。図１０の縦軸は、受電電力量を示す。また、図１０の横軸は、時間軸に対応し、例えば、１年間等のような比較的長い期間の時間軸に対応する。また、図１０には、放電によって受電電力量が削減されなかったと仮定した場合に想定される受電電力量が太線で示されている。
【０１１７】
また、この例では、時点ｄ１において、受電電力量の制御が開始される。そして、この例では、時点ｄ１に対応する受電電力量に基づいて、受電電力量に対する第１の閾値の初期値が設定（規定）される。時間ｄ１は、端境期に含まれる。端境期は、基準よりも受電電力量が小さい時期として設定された時期であって、例えば、春または秋に対応する。
【０１１８】
この例において、上記の通り、端境期に含まれる時点ｄ１に対応する受電電力量に基づいて、第１の閾値の初期値が設定される。したがって、第１の閾値の初期値は、比較的低く設定される。
【０１１９】
そして、時点ｄ１〜時点ｄ２において、受電電力量が第１の閾値を超えるため、放電によって受電電力量が削減される。しかし、その後、受電電力量の上昇に伴って、第１の閾値が上昇する。そして、最終的な第１の閾値は、時点ｄ１〜時点ｄ２における受電電力量の最大値を超える。
【０１２０】
具体的には、低く設定された初期値以下に受電電力量を長期的に維持することは困難である。そして、時点ｄ１〜時点ｄ２が短期間である場合（例えば、１ヶ月以内）において受電電力量のピークを抑制することは、長期的には有効ではない。つまり、時点ｄ１〜時点ｄ２における放電、および、時点ｄ１〜時点ｄ２における受電電力量の抑制は、無駄な動作であると想定される。そこで、受電電力制御装置２００は、短期間の端境期において、第１の閾値の初期値を高めに設定する。例えば、閾値設定部２０４は、受電電力量に基づいて設定される初期値の３０％分、初期値を上昇させてもよいし、端境期と過渡期の受電電力量に比率に応じて、初期値を上昇させてもよい。閾値設定部２０４は、受電電力量の制御の開始時点が、端境期の初め頃か、中頃か、終り頃かによって、初期値を上昇させる度合いを変更してもよい。
【０１２１】
一方、時点ｄ１〜時点ｄ２が長期間である場合（例えば、１ヶ月以上）である場合においては、時点ｄ１〜時点ｄ２の期間で電気代が削減されるため、受電電力量にあわせて第１の閾値の初期値を低めに設定しておく方が効果的である。
【０１２２】
図１１は、図２に示された受電電力制御装置２００によって設定される第１の閾値の初期値を示す概念図であり、時点ｄ１〜時点ｄ２が短期間である場合の例である。図１０と同様に、図１１の縦軸は、受電電力量を示す。また、図１１の横軸は、時間軸に対応し、例えば、１年間等のような比較的長い期間の時間軸に対応する。また、図１１には、放電によって受電電力量が削減されなかったと仮定した場合に想定される受電電力量が太線で示されている。
【０１２３】
また、図１０の例と同様に、図１１の例では、時点ｄ１において、受電電力量の制御が開始される。そして、受電電力制御装置２００の閾値設定部２０４は、時点ｄ１に対応する受電電力量に基づいて、受電電力量に対する第１の閾値の初期値を設定（規定）する。例えば、閾値設定部２０４は、所定期間（例えば、過去１日間）における所定時間単位（例えば、３０分間）の受電電力量の最大値を第１の閾値の初期値として設定してもよい。
【０１２４】
ただし、閾値設定部２０４は、時点ｄ１〜時点ｄ２が短期間であるため、受電電力量に基づいて設定される初期値を上昇させる。
【０１２５】
図１１に示されるように、閾値設定部２０４が、第１の閾値の初期値を高めに設定するため、時点ｄ１〜時点ｄ２において、受電電力量が第１の閾値を超えない。したがって、無駄な放電が抑制される。そして、これにより、蓄電装置３０３のサイクル劣化の抑制にもつながる。
【０１２６】
すなわち、閾値設定部２０４は、受電電力量の制御の開始段階において、第１の閾値の初期値を適切に設定することにより、蓄電装置３０３の充放電を適切に制御し、受電電力量を適切に制御することができる。さらに、閾値設定部２０４は、受電電力量の制御の運用段階において、第１の閾値を適切に更新することにより、蓄電装置３０３の充放電を適切に制御し、受電電力量を適切に制御することができる。
【０１２７】
上記の通り、本実施の形態における受電電力制御装置２００は、所定時間あたりの受電電力量が第１の閾値を超えないように、蓄電装置３０３を放電させる。そして、受電電力制御装置２００は、蓄電装置３０３の残容量を周期的に取得し、残容量の単位時間あたりの減少量が第２の閾値を超えた場合、第１の閾値を上昇させる。これにより、蓄電装置３０３の残容量が空状態になることが抑制され、継続的に放電が行われる。したがって、受電電力量のピークが抑制される。すなわち、受電電力量が適切に抑制される。
【０１２８】
なお、残容量の単位時間あたりの減少量は、残容量の単位時間あたりの減少率と表現されてもよいし、残容量の減少速度と表現されてもよい。
【０１２９】
また、上記の説明において、５分間、３０分間、１日間、１ヶ月間および１年間等のそれぞれは、所定時間または所定期間等の一例であって、適宜変更されてもよい。また、上記の説明における単位時間には、任意の時間が適用されてもよい。
【０１３０】
なお、実施の形態において示された受電電力制御装置２００の閾値設定部２０４は、閾値初期設定部と、閾値更新部とを備えてもよい。そして、閾値初期設定部が、第１の閾値の初期値を設定し、閾値更新部が、第１の閾値を更新してもよい。
【０１３１】
以上、本発明に係る受電電力制御装置２００について、実施の形態等に基づいて説明したが、本発明は、上記の実施の形態等に限定されない。上記の実施の形態等に対して当業者が思いつく変形を施して得られる形態、および、上記の実施の形態等における複数の構成要素を任意に組み合わせて実現される別の形態も本発明に含まれる。
【０１３２】
例えば、特定の構成要素が実行する処理を別の構成要素が実行してもよい。また、処理を実行する順番が変更されてもよいし、複数の処理が並行して実行されてもよい。
【０１３３】
また、本発明は、受電電力制御装置２００として実現できるだけでなく、受電電力制御装置２００を構成する各構成要素が行うステップ（処理）を含む方法として実現できる。
【０１３４】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１３５】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【０１３６】
また、受電電力制御装置２００等に含まれる複数の構成要素は、それぞれ、専用または汎用の回路として実現されてもよい。これらの構成要素は、１つの回路として実現されてもよいし、複数の回路として実現されてもよい。
【０１３７】
また、受電電力制御装置２００等に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部または全てを含むように１チップ化されてもよい。ＬＳＩは、集積度の違いにより、システムＬＳＩ、スーパーＬＳＩまたはウルトラＬＳＩと呼称される場合がある。
【０１３８】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１３９】
さらに、半導体技術の進歩または派生する別技術によりＬＳＩに置き換わる集積回路化の技術が登場すれば、当然、その技術を用いて、受電電力制御装置２００に含まれる複数の構成要素の集積回路化が行われてもよい。
【０１４０】
最後に、受電電力制御装置２００等の複数の態様を例として示す。これらの態様は、適宜、組み合わされてもよい。また、上記の実施の形態等に示された任意の構成等が追加されてもよい。
【０１４１】
（第１態様）
本発明の一態様に係る受電電力制御装置２００は、負荷３０２および蓄電装置３０３が電気的に接続された受電点に電力系統から所定時間あたりに受電される電力量である受電電力量を、少なくとも蓄電装置３０３の充放電を制御することによって制御する。また、受電電力制御装置２００は、受電電力量取得部２０１と、制御部２０２と、残容量取得部２０３と、閾値設定部２０４とを備える。
【０１４２】
受電電力量取得部２０１は、受電電力量を示す情報を周期的に取得する。制御部２０２は、受電電力量が第１の閾値を超えないように、少なくとも蓄電装置３０３を放電させる。残容量取得部２０３は、蓄電装置３０３の残容量を示す情報を周期的に取得する。閾値設定部２０４は、残容量の単位時間あたりの減少量が第２の閾値を超えた場合、第１の閾値を上昇させる。
【０１４３】
これにより、残容量の単位時間あたりの減少量が第２の閾値を超えた場合、受電電力量が上昇し、放電電力量の上昇が抑制される。したがって、蓄電装置３０３の残容量が空状態になることが抑制され、継続的に放電が行われる。よって、受電電力量の最大値が極端に大きくなることが抑制される。すなわち、受電電力量が適切に抑制される。
【０１４４】
（第２態様）
例えば、閾値設定部２０４は、さらに、所定期間における受電電力量の最大値以上に第１の閾値を調整してもよい。これにより、受電電力量の最大値に従って、第１の閾値が適切に調整される。
【０１４５】
（第３態様）
例えば、閾値設定部２０４は、さらに、所定期間における受電電力量の平均値以上に第１の閾値を調整してもよい。これにより、受電電力量の平均値に従って、第１の閾値が適切に調整される。
【０１４６】
（第４態様）
例えば、閾値設定部２０４は、所定期間における受電電力量の最大値から、受電電力量が最大値である時間の残容量に対応する放電可能量を減算することにより得られる仮閾値を導出してもよい。そして、閾値設定部２０４は、所定期間のうち、受電電力量が最大値である時間を含む期間であり、受電電力量が連続して仮閾値を超える期間である超過期間を導出してもよい。
【０１４７】
そして、閾値設定部２０４は、超過期間における受電電力量の平均値から放電可能量を超過期間で平均化した値を減算することにより得られる電力量以上に第１の閾値を調整してもよい。
【０１４８】
これにより、受電電力量の最大値、放電可能量、および、受電電力量が大きい期間に従って、第１の閾値が適切に調整される。
【０１４９】
（第５態様）
例えば、閾値設定部２０４は、さらに、第２の閾値を残容量以下に設定してもよい。これにより、第２の閾値が、大きくなり過ぎないように、残容量に基づいて適切に設定される。
【０１５０】
（第６態様）
例えば、閾値設定部２０４は、さらに、残容量が小さいほど、第２の閾値を小さくしてもよい。これにより、第２の閾値が、残容量の大きさに従って、適切に設定される。
【０１５１】
（第７態様）
例えば、閾値設定部２０４は、さらに、残容量が小さいほど、または、残容量の単位時間あたりの減少量が大きいほど、第１の閾値の上昇を大きくしてもよい。これにより、第２の閾値が、残容量の大きさ、または、残容量の大きさの変化に従って、適切に設定される。したがって、残容量が空状態になることが抑制される。
【０１５２】
（第８態様）
例えば、受電電力制御装置２００は、さらに、負荷３０２の消費電力の削減可能量を取得する削減可能量取得部２０５を備えてもよい。そして、制御部２０２は、削減可能量の範囲で、負荷３０２の消費電力を制御してもよい。これにより、受電電力制御装置２００は、受電電力量が第１の閾値を超えないように、負荷３０２の消費電力を調整することができる。
【０１５３】
（第９態様）
例えば、閾値設定部２０４は、さらに、削減可能量が大きいほど、第２の閾値を大きくしてもよい。これにより、受電電力制御装置２００は、負荷３０２の消費電力の削減によって、受電電力量を十分に削減することができる場合に、第１の閾値の上昇の発生を抑制することができる。したがって、受電電力制御装置２００は、受電電力量の増加を抑制することができる。
【０１５４】
（第１０態様）
例えば、閾値設定部２０４は、さらに、削減可能量が大きいほど、第１の閾値の上昇を小さくしてもよい。これにより、受電電力制御装置２００は、負荷３０２の消費電力の削減によって、受電電力量を十分に削減することができる場合に、第１の閾値の上昇（上昇の量）を小さくすることができる。したがって、受電電力制御装置２００は、受電電力量の増加を抑制することができる。
【０１５５】
（第１１態様）
例えば、閾値設定部２０４は、受電電力量の制御の開始時に、受電電力量に基づいて、第１の閾値に対して初期値を設定してもよい。そして、閾値設定部２０４は、受電電力量の制御の開始時期が、基準よりも受電電力量が小さい時期として設定された端境期であり、かつ、端境期が所定期間よりも短い場合、受電電力量に基づいて設定される初期値を上昇させてもよい。これにより、受電電力量の制御の開始時期に従って、第１の閾値の初期値が適切に設定される。
【０１５６】
（第１２態様）
例えば、閾値設定部２０４は、所定期間における受電電力量の最大値を第１の閾値の初期値として設定してもよい。これにより、受電電力量の最大値に従って、第１の閾値の初期値が適切に設定される。
【０１５７】
（第１３態様）
本発明の一態様に係る受電電力制御方法は、負荷３０２および蓄電装置３０３が電気的に接続された受電点に電力系統から所定時間あたりに受電される電力量である受電電力量を蓄電装置３０３の充放電を制御することによって制御する受電電力制御方法である。また、受電電力制御方法は、受電電力量取得ステップ（Ｓ１０１）と、制御ステップ（Ｓ１０２）と、残容量取得ステップ（Ｓ１０３）と、閾値設定ステップ（Ｓ１０４）とを含む。
【０１５８】
受電電力量取得ステップ（Ｓ１０１）では、受電電力量を示す情報を周期的に取得する。制御ステップ（Ｓ１０２）では、受電電力量が第１の閾値を超えないように、蓄電装置３０３を放電させる。残容量取得ステップ（Ｓ１０３）では、蓄電装置３０３の残容量を示す情報を周期的に取得する。閾値設定ステップ（Ｓ１０４）では、残容量の単位時間あたりの減少量が所定減少量を超えた場合、第１の閾値を上昇させる。
【０１５９】
これにより、残容量の単位時間あたりの減少量が第２の閾値を超えた場合、受電電力量が上昇し、放電電力量の上昇が抑制される。したがって、蓄電装置３０３の残容量が空状態になることが抑制され、継続的に放電が行われる。よって、受電電力量の最大値が極端に大きくなることが抑制される。すなわち、受電電力量が適切に抑制される。
【符号の説明】
【０１６０】
２００  受電電力制御装置
２０１  受電電力量取得部
２０２  制御部
２０３  残容量取得部
２０４  閾値設定部
２０５  削減可能量取得部
３０２  負荷
３０３  蓄電装置
【図１】
2017085915.tif 000003
【図２】
2017085915.tif 000004
【図３】
2017085915.tif 000005
【図４】
2017085915.tif 000006
【図５】
2017085915.tif 000007
【図６】
2017085915.tif 000008
【図７】
2017085915.tif 000009
【図８】
2017085915.tif 000010
【図９】
2017085915.tif 000011
【図１０】
2017085915.tif 000012
【図１１】
2017085915.tif 000013
【国際調査報告】
2017085915.tif 000014
2017085915.tif 000015